(57)【特許請求の範囲】
【請求項１】
植物の栽培床位置を地面から所定高さ位置に設定し、植物の成長に従って伸びた茎を栽培床から前記地面に向けて下方に誘引し、さらに、植物の成長に従って伸びた茎を前記地面に近接する位置から上方に誘引して、前記栽培床の上方に略水平に張設されている誘引線に移動可能に接続された茎支持部材に結合することを特徴とする植物の茎誘引方法。
【請求項２】
さらに、茎が伸びるに従って前記茎支持部材を誘引線に沿って前記栽培床から離れる方向に徐々に移動して茎を同方向に誘引するようにしたことを特徴とする請求項１記載の植物の茎誘引方法。
【請求項３】
前記茎の伸びる過程において前記栽培床を上方向に移動するようにしたことを特徴とする請求項１又は２記載の植物の茎誘引方法。
【発明の詳細な説明】
【０００１】
【発明の属する技術分野】
本発明は、トマトやキュウリ等の蔓性の植物の茎誘引方法に関する。
【０００２】
【従来の技術】
トマトやキュウリ等の蔓性の植物の栽培を行う場合、従来では、植物の栽培床を地面に設置し、植物の成長に従って伸びた茎を上方に誘引して、前記栽培床の上方に略水平に張設されている誘引線に移動可能に結合された茎支持部材に繋ぎ、さらに、茎が伸びるに従って前記茎支持部材を誘引線に沿って前記栽培床から離れる方向に徐々に移動して茎を同方向に誘引するようにしている。
このため、栽培床から伸び始めた茎は地面を這うことになる。
【０００３】
【発明が解決しようとする課題】
しかしながら、以上のような従来の植物の茎誘引方法においては、上記のように栽培床から伸び始めた茎を地面に這わせる方法であるため、栽培床から横方向の所定のスペースにおいて、茎は地面に這っている部分と上方に伸びている部分しかなく、スペースの割りには、果実がなる茎の長さが短く、収穫量が少ない。
【０００４】
即ち、栽培床から横方向のデッドスペースが多く、所定スペースにおける果実の収穫量が少ないという問題があった。
また、上記のように、茎の一部を地面に這わせると、地面付近にある茎に果実がなるため、果実の収穫が低い位置の作業となって、収穫作業が行い難いと共に、地面付近の茎になった果実が病気になり易いという問題もある。
【０００５】
本発明は上記した課題を解消するためになされたものであり、栽培床から横方向のデッドスペースが少なく、所定スペースにおける果実の収穫量が多いと共に、収穫作業が行い易く、果実が病気の発生を抑えることができる植物の茎誘引方法を提供することを目的とする。
【０００６】
【課題を解決するための手段】
上記した目的を達成するため請求項１記載の本発明の植物の茎誘引方法は、植物の栽培床位置を地面から所定高さ位置に設定し、植物の成長に従って伸びた茎を栽培床から前記地面に向けて下方に誘引し、さらに、植物の成長に従って伸びた茎を前記地面に近接する位置から上方に誘引して、前記栽培床の上方に略水平に張設されている誘引線に移動可能に接続された茎支持部材に結合することを特徴とする。
【０００７】
請求項２記載の本発明の植物の茎誘引方法は、さらに、茎が伸びるに従って前記茎支持部材を誘引線に沿って前記栽培床から離れる方向に徐々に移動して茎を同方向に誘引するようにしたことを特徴とする。
【０００８】
請求項３記載の本発明の植物の茎誘引方法は、前記茎の伸びる過程において前記栽培床を上方向に移動するようにしたことを特徴とする。
【０００９】
【発明の実施の形態】
以下、図面に示した実施の形態に基づき本発明をさらに詳細に説明する。
図１〜図３に基づいて、本発明の一の実施の形態にかかる植物の茎誘引方法について説明する。
【００１０】
即ち、本発明の植物の茎誘引方法は、トマトやキュウリ等の蔓性の植物の栽培において、植物の成長に従って図に示す栽培床Ｓから伸びる茎を誘引する方法である。
【００１１】
前記栽培床Ｓは、その内側に土、砂、ロックウール等の培地が充填されるもので、例えば、所定の長さと幅を有し、周壁のうちの両側壁夫々の上縁をパイプ等により支持し、断面略Ｕ字状に張設したプラスチックシートからなるものや、断面略凹状に成形した硬質プラスチックや金属等の剛体からなり、地面Ｇから所定高さ位置に設置される。
【００１２】
前記地面Ｇから所定高さとは、例えば、本葉８〜１０枚程度が茎にできる程度の高さであり、トマトであれば、１段目の果実（１段花房）がなるまでに相当する。
そして、植物１０の成長に従って伸びた茎を栽培床Ｓから地面Ｇに向けて下方に誘引する（図１（ａ）参照）。
この場合、茎が伸び始めたならば、最初から下方に誘引しても良いし、途中から下方に誘引しても良い。
さらに、図１（ｂ）に示すように、植物１０の成長に従って伸びた茎を、図１（ｃ）に示すように、地面Ｇに近接する位置から上方に誘引して、栽培床Ｓの上方に略水平に張設されている誘引具１の誘引線２に移動可能に接続された茎支持部材３に保持部材４によって結合する。
【００１３】
さらに、茎が伸びるに従って茎支持部材３を誘引線２に沿って栽培床から離れる方向に徐々に移動して茎を同方向に誘引する（図３（ａ）及び（ｂ）参照）。ここで、本実施形態においては、次のようにして、茎を茎支持部材３に保持部材４によって結合し、茎支持部材４を誘引線２に沿って移動する（図１（ｃ），図２（ａ）〜（ｃ），図３（ａ）及び（ｂ）参照）。
【００１４】
即ち、植物１０の茎の長さが短いときに、茎支持部材３を複数本（例えば２本）使用する。まず、１本目（最上端）の茎支持部材２の係合部３１を誘引線２に係合させて吊り下げる。次に、茎支持部材３の連結部３２に、２本目（最下端）の茎支持部材３の係合部３１を係合させて吊り下げる。
【００１５】
そして、１個目の保持部材４によって茎を茎支持部材３に結合する。
植物１０の成長に合わせて、所定間隔をおいて、２個目の保持部材４、３個目の保持部材４を配設していく。植物１０がさらに成長し、下方に配設されている茎支持部材３の係合部３１の高さを越え、茎支持部材２の脇まで成長したならば、それに合わせて、茎支持部材３に使用していた保持部材４を順次取り外して茎支持部材３に止め直していく。全ての保持部材４が茎支持部材３にまで移動したならば、下方に配設されていた茎支持部材３を撤去する。
【００１６】
植物１０がさらに成長し、誘引線２の高さ以上に成長したならば、保持部材４を取り外す。保持部材４を取り外すと、植物１０の茎が下がろうとする結果、保持部材４も一緒に下がり、茎支持部材３の連結部３２に当接して止まる。
このように植物１０の樹高が下がるということは、茎の下部はたるむことになる。
【００１７】
このため、たるんだ部分を略水平に伸ばすことにより、たるんだ部分以外の茎部分を略垂直に姿勢制御するべく、誘引線２に沿って茎支持部材３を移動させる。取り外した保持部材４は茎の上部に止め直す。
【００１８】
植物１０がさらに成長したならば、最下端に位置している保持部材４を取り外して、保持部材４が茎支持部材３の連結部３２に当接するまで樹高を下げる。樹高が下がった分、茎の下部をさらに略水平に這わせるため、茎支持部材３を誘引線２に沿って移動させる。取り外した保持部材４を茎の最上部に付け替える。以降、この工程を栽培が終了するまで繰り返す。
なお、果実は、上記の作業中に、順次、下段に結実したものから収穫される。
【００１９】
以上のように、植物１０の成長に従って伸びた茎を栽培床Ｓから地面Ｇに向けて下方に誘引し、さらに、植物１０の成長に従って伸びた茎を地面Ｇに近接する位置から上方に誘引して、茎支持部材３に保持部材４によって結合し、さらに、茎が伸びるに従って茎支持部材３を誘引線２に沿って栽培床Ｓから離れる方向に徐々に移動して茎を同方向に誘引するようにしたから、栽培床Ｓから伸び始めた茎が地面に這わずに上方に誘引され、栽培床Ｓから横方向の所定のスペースにおいて、茎は、栽培床Ｓから下方に伸びる部分が付加され、スペースの割りには、果実がなる茎の長さを長くでき、収穫量の増加を図ることができる。
【００２０】
即ち、栽培床Ｓから横方向のデッドスペースが従来の栽培床から伸び始めた茎を地面に這わせる方法の場合よりも少なくなり、所定スペースにおける果実の収穫量が多いという利点がある。
【００２１】
なお、栽培床Ｓを上下動可能な構成にし、茎の伸びる過程において栽培床Ｓを上方向に移動して、栽培床Ｓの高さを高くするようにすれば、茎の栽培床Ｓから下方に伸びる部分が長くすることができ、上述した所定スペースにおける果実の収穫量の増加をより図ることができる。
【００２２】
【発明の効果】
本発明の植物の茎誘引方法は、トマトやキュウリ等の蔓性の植物の栽培において、植物の成長に従って栽培床から伸びる茎を誘引する場合に、植物の成長に従って伸びた茎を、地面から所定高さ位置に設定された栽培床から地面に向けて一旦下方に誘引し、さらに、植物の成長に従って伸びた茎を地面に近接する位置から上方に誘引して、栽培床から伸び始めた茎を地面に這わさずに上方に誘引するようにしたから、従来の栽培床から伸び始めた茎を地面に這わせる場合よりも、茎の栽培床から下方に伸びる部分が付加され、所定スペースにおける果実の収穫量が多いという利点がある。
【００２３】
特に、茎の伸びる過程において栽培床を上方向に移動するようにすれば、茎の栽培床から下方に伸びる部分が長くなり、果実の収穫量の増加をより図ることができる。
【図面の簡単な説明】
【図１】図１は、本発明の植物の茎誘引方法の一の実施の形態を説明するための図である。
【図２】図２は、本発明の植物の茎誘引方法の一の実施の形態を説明するための図である。
【図３】図３は、本発明の植物の茎誘引方法の一の実施の形態を説明するための図である。
【符号の説明】
１  茎誘引具
２  誘引線
３  茎支持部材
４  保持部材
１０  植物
Ｓ  栽培床
Ｇ  地面
【図１】
0004209528.tif 000002
【図２】
0004209528.tif 000003
【図３】
0004209528.tif 000004